【手続補正書】
【提出日】平成18年8月28日(2006.8.28)
【手続補正１】
【補正対象書類名】明細書
【補正対象項目名】全文
【補正方法】変更
【補正の内容】
【書類名】  明細書
【発明の名称】  高周波信号受信装置
【特許請求の範囲】
【請求項１】  １チャンネル中に複数セグメントを含む放送波を受信する高周波信号受信装置であって、前記高周波信号受信装置は、前記放送波が入力される入力端子と、この入力端子に入力された信号が一方の入力に供給されるとともに他方の入力にはＰＬＬ回路にループ接続された局部発振器の出力信号が供給される混合器と、この混合器から出力される中間周波数が供給される出力端子とを備え、前記中間周波数の生成には、前記１チャンネル中に含まれる複数セグメントの数に基づいて異なる値に設定することが可能な中間周波数設定手段を設け、希望する受信放送波が前記１チャンネル中に含まれる最大セグメントの数に対して少ないセグメントのときには前記中間周波数設定手段で前記中間周波数を前記最大セグメントのときよりも低い周波数に設定する高周波信号受信装置。
【請求項２】  １チャンネル中に含まれるセグメントの数に基づいて中間周波数を予め定められたそれぞれの低い周波数に設定する請求項１に記載の高周波信号受信装置。
【請求項３】  混合器と出力端子との間に可変型の同調フィルタが挿入された請求項１に記載の高周波信号受信装置。
【請求項４】  同調フィルタは、１チャンネル中に含まれるセグメントの数に基づいて予め定められたそれぞれの低い周波数に設定される請求項３に記載の高周波信号受信装置。
【請求項５】  少なくとも混合器と、局部発振器と、ＰＬＬ回路とは、同一のパッケージに集積された請求項１に記載の高周波信号受信装置。
【請求項６】  １チャンネル中に複数セグメントを含む放送波を受信する高周波信号受信装置であって、前記高周波信号受信装置は、前記放送波が入力される入力端子と、この入力端子に入力された信号が一方の入力に供給されるとともに他方の入力には第１のＰＬＬ回路にループ接続された第１の局部発振器の出力信号が供給される第１の混合器と、この第１の混合器から出力される第１の中間周波数が通過するフィルタと、このフィルタの出力が一方の入力に供給されるとともに他方の入力には第２のＰＬＬ回路にループ接続された第２の局部発振器の出力が供給される第２の混合器と、この第２の混合器から出力される第２の中間周波数が供給される出力端子とを備え、前記放送波の周波数より前記第１の中間周波数を低く設定して、この第１の中間周波数より前記第２の中間周波数は更に低く設定するとともに、前記第２の中間周波数の生成には、前記１チャンネル中に含まれる複数セグメントの数に基づいて異なる値に設定することが可能な中間周波数設定手段を設け、希望する受信放送波が前記１チャンネル中に含まれる最大セグメントの数に対して少ないセグメントのときには前記第２の中間周波数設定手段で前記中間周波数を前記最大セグメントのときよりも低い周波数に設定する高周波信号受信装置。
【請求項７】  第１のＰＬＬ回路に供給される基準周波数と第２のＰＬＬ回路に供給される基準周波数とは同一の水晶発振子から供給される請求項６に記載の高周波信号受信装置。
【請求項８】  第２の局部発振器の発振周波数は、第１の局部発振器の発振周波数の略４．６８倍に設定するとともに、前記第２の局部発振器の出力と第２の混合器の他方の入力との間に分周器が設けられた請求項６に記載の高周波信号受信装置。
【請求項９】  第１のＰＬＬ回路と第２のＰＬＬ回路とは、一つのマイクロコンピュータで制御される請求項６に記載の高周波信号受信装置。
【請求項１０】  少なくとも第１の混合器と、第１の局部発振器と、第１のＰＬＬ回路と、第２の混合器と、第２の局部発振器と、第２のＰＬＬ回路とは、同一のパッケージに集積された請求項６に記載の高周波信号受信装置。
【請求項１１】  １チャンネル中に複数セグメントを含む放送波を受信する高周波信号受信装置であって、前記高周波信号受信装置は、前記放送波が入力される入力端子と、この入力端子に入力された信号が一方の入力に供給されるとともに他方の入力には第１のＰＬＬ回路にループ接続された第１の局部発振器の出力信号が供給される第１の混合器と、この第１の混合器から出力される第１の中間周波数が通過するフィルタと、このフィルタの出力が一方の入力に供給されるとともに他方の入力には第２のＰＬＬ回路にループ接続された第２の局部発振器の出力が供給される第２の混合器と、この第２の混合器から出力される第２の中間周波数が供給される出力端子とを備え、前記放送波の周波数より前記第１の中間周波数を高く設定するとともに前記第２の中間周波数は前記放送波の周波数よりも低く設定し、前記第２の中間周波数の生成には、前記１チャンネル中に含まれる複数セグメントの数に基づいて異なる値に設定することが可能な中間周波数設定手段を設け、希望する受信放送波が前記１チャンネル中に含まれる最大セグメントの数に対して少ないセグメントのときには前記第２の中間周波数設定手段で前記中間周波数を前記最大セグメントのときよりも低い周波数に設定する高周波信号受信装置。
【請求項１２】  第１のＰＬＬ回路に供給される基準周波数と第２のＰＬＬ回路に供給される基準周波数とは同一の水晶発振子から供給される請求項１１に記載の高周波信号受信装置。
【請求項１３】  第１のＰＬＬ回路と第２のＰＬＬ回路とは、一つのマイクロコンピュータで制御される請求項１１に記載の高周波信号受信装置。
【請求項１４】  少なくとも第１の混合器と、第１の局部発振器と、第１のＰＬＬ回路と、第２の混合器と、第２の局部発振器と、第２のＰＬＬ回路とは、同一のパッケージに集積された請求項１１に記載の高周波信号受信装置。
【請求項１５】  １チャンネル中に複数セグメントを含む放送波を受信する高周波信号受信装置であって、前記高周波信号受信装置は、前記放送波が入力される入力端子と、この入力端子に入力された信号が接続された第１の同調フィルタと、この第１の同調フィルタの出力が一方の入力に供給されるとともに他方の入力にはＰＬＬ回路にループ接続された局部発振器の出力信号が供給される混合器と、この混合器から出力される中間周波数が供給される第２の同調フィルタと、この第２の同調フィルタの出力が供給される出力端子とを備え、前記中間周波数の生成には、前記１チャンネル中に含まれる複数セグメントの数に基づいて異なる値に設定することが可能な中間周波数設定手段を設け、希望する受信放送波が前記１チャンネル中に含まれる最大セグメントの数に対して少ないセグメントのときには前記中間周波数設定手段で前記中間周波数を前記最大セグメントのときよりも低い周波数に設定する高周波信号受信装置。
【請求項１６】  第１の同調フィルタはＰＬＬ回路の出力電圧で制御されるとともに、第２の同調フィルタはマイクロコンピュータからＤ／Ａ変換器を介して制御される請求項１５に記載の高周波信号受信装置。
【請求項１７】  第２の同調フィルタを可変型のローパスフィルタとした請求項１５に記載の高周波信号受信装置。
【発明の詳細な説明】
【０００１】
【発明の属する技術分野】
本発明は、１チャンネル中に複数のセグメントを含む放送波を受信する高周波信号受信装置に関するものである。
【０００２】
【従来の技術】
従来の高周波信号受信装置は図８に示すように、１チャンネル中に複数のセグメントを含む放送波が入力される入力端子１と、この入力端子１に入力された信号が接続された高周波増幅器２と、この高周波増幅器２の出力が一方の入力に供給されるとともに他方の入力にはＰＬＬ回路３にループ接続された局部発振器４の出力信号が接続された混合器５と、この混合器５から出力される第１の中間周波数を通過させるフィルタ６と、このフィルタ６の出力が一方の入力に供給されるとともに他方の入力にはＰＬＬ回路７にループ接続された局部発振器８の出力が供給される混合器９と、この混合器９から出力される第２の中間周波数が接続された出力端子１０と、ＰＬＬ回路３に選局データを与えるデータ端子１１と、ＰＬＬ回路３と７に夫々基準周波数を供給する水晶振動子１２，１３から構成されていた。
【０００３】
以上のように構成された高周波信号受信装置について、以下にその動作を説明する。入力端子１には、図９（ａ）に示されるように略２００ＭＨｚの放送波が入力される。この放送波１５は局部発振器４の出力と混合器５で混合されて図９（ｂ）に示されるように５６ＭＨｚの中間周波数１６に変換される。即ち選局される訳である。
【０００４】
そして、この混合器６からの出力された中間周波数１６はフィルタ６を介して次の混合器９で選局発振器８の出力と混合されて図９（ｃ）に示すように４ＭＨｚに固定された中間周波数１７に変換される。なお、ここで図９における横軸１８は周波数（ＭＨｚ）である。
【０００５】
ここで、放送波１５は１チャンネル中に、ハイビジョン放送の受信では１３セグメント含まれており、音声とデータ放送の受信では３セグメントであり、音声や音楽放送の受信では１セグメントである。従って、混合器９の出力ではハイビジョン受信時には図１０（ａ）に示すように４ＭＨｚを中心に５．６ＭＨｚの帯域幅２０を占有し、音声とデータ受信では図１０（ｂ）に示すように４ＭＨｚを中心に１．３ＭＨｚの帯域幅２１を占有し、音声や音楽放送の受信時には図１０（ｃ）に示すように４ＭＨｚを中心に０．４３ＭＨｚの帯域幅２２を占有している。ここで図１０における横軸２３は周波数（ＭＨｚ）である。
【０００６】
【発明が解決しようとする課題】
しかしながらこのような従来の構成では、ハイビジョン放送も音声とデータ放送も音声や音楽放送も夫々処理すべきセグメントの数が異なっている。しかしながらそれにもかかわらず、混合器９から出力される第２中間周波数の帯域幅が２０，２１，２２と４ＭＨｚに固定された値となっている。従って、これらの受信放送波を処理するためには少なくとも４ＭＨｚの２倍の周波数である８ＭＨｚ以上のサンプリング周波数でサンプルすることが必要となる。
【０００７】
ここでサンプリング周波数が高くなればなるほど処理が増え、消費電力が大きくなる。逆にサンプリング周波数が低くなればなるほど消費電力が少なくて良いことになる。
【０００８】
そこで、特に携帯機器等に使用される高周波信号受信装置においては全体として低消費電力化が望まれる。
【０００９】
本発明は、このような問題点を解決するもので、消費電力を少なくする携帯機器等に使用される高周波信号受信装置を提供することを目的としたものである。
【００１０】
【課題を解決するための手段】
この目的を達成するために本発明の高周波信号受信装置は、放送波が入力される入力端子と、この入力端子に入力された信号が一方の入力に供給されるとともに他方の入力にはＰＬＬ回路にループ接続された局部発振器の出力信号が供給される混合器と、この混合器から出力される中間周波数が供給される出力端子とを備え、前記中間周波数の生成には、１チャンネル中に含まれる複数セグメントの数に基づいて異なる値に設定することが可能な中間周波数設定手段を設け、希望する受信放送波が前記１チャンネル中に含まれる最大セグメントの数に対して少ないセグメントのときには前記中間周波数設定手段で前記中間周波数を前記最大セグメントのときよりも低い周波数に設定するものである。これにより、本高周波信号受信装置が使用される携帯機器等の消費電力を少なくすることができる。
【００１１】
【発明の実施の形態】
本発明の請求項１に記載の発明は、１チャンネル中に複数セグメントを含む放送波を受信する高周波信号受信装置であって、前記高周波信号受信装置は、前記放送波が入力される入力端子と、この入力端子に入力された信号が一方の入力に供給されるとともに他方の入力にはＰＬＬ回路にループ接続された局部発振器の出力信号が供給される混合器と、この混合器から出力される中間周波数が供給される出力端子とを備え、前記中間周波数の生成には、前記１チャンネル中に含まれる複数セグメントの数に基づいて異なる値に設定することが可能な中間周波数設定手段を設け、希望する受信放送波が前記１チャンネル中に含まれる最大セグメントの数に対して少ないセグメントのときには前記中間周波数設定手段で前記中間周波数を前記最大セグメントのときよりも低い周波数に設定する高周波信号受信装置であり、１チャンネル中に含まれるセグメントの数に基づいて中間周波数を低い周波数に設定するので、サンプリング周波数を低くすることができ、消費電力を少なくすることができる。従って、携帯機器等に使用すれば電池寿命を長くすることができる。
【００１２】
請求項５に記載の発明は、少なくとも混合器と、局部発振器と、ＰＬＬ回路とは、同一のパッケージに集積された請求項１に記載の高周波信号受信装置であり、集積化するので、小型化を図ることができるとともに部品管理や製造工数の削減ができる。
【００１３】
請求項６に記載の発明は、１チャンネル中に複数セグメントを含む放送波を受信する高周波信号受信装置であって、前記高周波信号受信装置は、前記放送波が入力される入力端子と、この入力端子に入力された信号が一方の入力に供給されるとともに他方の入力には第１のＰＬＬ回路にループ接続された第１の局部発振器の出力信号が供給される第１の混合器と、この第１の混合器から出力される第１の中間周波数が通過するフィルタと、このフィルタの出力が一方の入力に供給されるとともに他方の入力には第２のＰＬＬ回路にループ接続された第２の局部発振器の出力が供給される第２の混合器と、この第２の混合器から出力される第２の中間周波数が供給される出力端子とを備え、前記放送波の周波数より前記第１の中間周波数を低く設定して、この第１の中間周波数より前記第２の中間周波数は更に低く設定するとともに、前記第２の中間周波数の生成には、前記１チャンネル中に含まれる複数セグメントの数に基づいて異なる値に設定することが可能な中間周波数設定手段を設け、希望する受信放送波が前記１チャンネル中に含まれる最大セグメントの数に対して少ないセグメントのときには前記第２の中間周波数設定手段で前記中間周波数を前記最大セグメントのときよりも低い周波数に設定する高周波信号受信装置であり、１チャンネル中に含まれるセグメントの数に基づいて第２の中間周波数を低い周波数に設定するので、サンプリング周波数を低くすることができ、消費電力を少なくすることができる。従って、携帯機器等に使用すれば電池寿命を長くすることができる。
【００１４】
また、放送波の周波数より第１の中間周波数を低く設定しているので、ＮＦ性能が良い高周波信号受信装置を得ることができる。
【００１５】
請求項７に記載の発明は、第１のＰＬＬ回路に供給される基準周波数と第２のＰＬＬ回路に供給される基準周波数とは同一の水晶発振子から供給される請求項６に記載の高周波信号受信装置であり、水晶発振子を共有しているので、小型化を図ることができるとともに低価格化を図ることができる。
【００１６】
請求項８に記載の発明は、第２の局部発振器の発振周波数は、第１の局部発振器の発振周波数の略４．６８倍に設定するとともに、前記第２の局部発振器の出力と第２の混合器の他方の入力との間に分周器が設けられた請求項６に記載の高周波信号受信装置であり、第２の局部発振器の発振周波数は第１の局部発振器の発振周波数の整数倍ではないので、第１の局部発振器の出力が第２の局部発振器の出力に妨害を与えることはない。
【００１７】
また、第２の発振器の出力は、入力端子に入力される信号と大きく異なるので、第２の局部発振器の出力が入力端子（アンテナ側）に悪影響を与えることはない。
【００１８】
請求項９に記載の発明は、第１のＰＬＬ回路と第２のＰＬＬ回路とは、一つのマイクロコンピュータで制御される請求項６に記載の高周波信号受信装置であり、第１のＰＬＬ回路と第２のＰＬＬ回路とを一つのマイクロコンピュータで制御するので、外部からの制御が容易となる。
【００１９】
請求項１０に記載の発明は、少なくとも第１の混合器と、第１の局部発振器と、第１のＰＬＬ回路と、第２の混合器と、第２の局部発振器と、第２のＰＬＬ回路とは、同一のパッケージに集積された請求項６に記載の高周波信号受信装置であり、集積化するので、小型化を図ることができるとともに部品管理や製造工数の削減ができる。
【００２０】
請求項１１に記載の発明は、１チャンネル中に複数セグメントを含む放送波を受信する高周波信号受信装置であって、前記高周波信号受信装置は、前記放送波が入力される入力端子と、この入力端子に入力された信号が一方の入力に供給されるとともに他方の入力には第１のＰＬＬ回路にループ接続された第１の局部発振器の出力信号が供給される第１の混合器と、この第１の混合器から出力される第１の中間周波数が通過するフィルタと、このフィルタの出力が一方の入力に供給されるとともに他方の入力には第２のＰＬＬ回路にループ接続された第２の局部発振器の出力が供給される第２の混合器と、この第２の混合器から出力される第２の中間周波数が供給される出力端子とを備え、前記放送波の周波数より前記第１の中間周波数を高く設定するとともに前記第２の中間周波数は前記放送波の周波数よりも低く設定し、前記第２の中間周波数の生成には、前記１チャンネル中に含まれる複数セグメントの数に基づいて異なる値に設定することが可能な中間周波数設定手段を設け、希望する受信放送波が前記１チャンネル中に含まれる最大セグメントの数に対して少ないセグメントのときには前記第２の中間周波数設定手段で前記中間周波数を前記最大セグメントのときよりも低い周波数に設定する高周波信号受信装置であり、１チャンネル中に含まれるセグメントの数に基づいて第２の中間周波数を低い周波数に設定するので、サンプリング周波数を低くすることができ、消費電力を少なくすることができる。従って、携帯機器等に使用すれば電池寿命を長くすることができる。
【００２１】
また、放送波の周波数より第１の中間周波数を高く設定しているので、放送帯域におけるイメージ周波数妨害を受けない高周波信号受信装置を得ることができる。
【００２２】
請求項１２に記載の発明は、第１のＰＬＬ回路に供給される基準周波数と第２のＰＬＬ回路に供給される基準周波数とは同一の水晶発振子から供給される請求項１１に記載の高周波信号受信装置であり、水晶発振子を共有しているので、小型化を図ることができるとともに低価格化を図ることができる。
【００２３】
請求項１３に記載の発明は、第１のＰＬＬ回路と第２のＰＬＬ回路とは、一つのマイクロコンピュータで制御される請求項１１に記載の高周波信号受信装置であり、第１のＰＬＬ回路と第２のＰＬＬ回路とを一つのマイクロコンピュータで制御するので、外部からの制御が容易となる。
【００２４】
請求項１４に記載の発明は、少なくとも第１の混合器と、第１の局部発振器と、第１のＰＬＬ回路と、第２のＰＬＬ回路と、第２の局部発振器と、第２のＰＬＬ回路とは、同一のパッケージに集積された請求項１１に記載の高周波信号受信装置であり、集積化するので、小型化を図ることができるとともに部品管理や製造工数の削減ができる。
【００２５】
請求項１５に記載の発明は、１チャンネル中に複数セグメントを含む放送波を受信する高周波信号受信装置であって、前記高周波信号受信装置は、前記放送波が入力される入力端子と、この入力端子に入力された信号が接続された第１の同調フィルタと、この第１の同調フィルタの出力が一方の入力に供給されるとともに他方の入力にはＰＬＬ回路にループ接続された局部発振器の出力信号が供給される混合器と、この混合器から出力される中間周波数が供給される第２の同調フィルタと、この第２の同調フィルタの出力が供給される出力端子とを備え、前記中間周波数の生成には、前記１チャンネル中に含まれる複数セグメントの数に基づいて異なる値に設定することが可能な中間周波数設定手段を設け、希望する受信放送波が前記１チャンネル中に含まれる最大セグメントの数に対して少ないセグメントのときには前記中間周波数設定手段で前記中間周波数を前記最大セグメントのときよりも低い周波数に設定する高周波信号受信装置であり、１チャンネル中に含まれるセグメントの数に基づいて中間周波数を低い周波数に設定するので、サンプリング周波数を低くすることができ、消費電力を少なくすることができる。従って、携帯機器等に使用すれば電池寿命を長くすることができる。
【００２６】
また、シングルスーパーなのでＮＦ性能が向上するとともに、小型の高周波信号受信装置が実現できる。
【００２７】
請求項１６に記載の発明は、第１の同調フィルタはＰＬＬ回路の出力電圧で制御されるとともに、第２の同調フィルタはマイクロコンピュータからＤ／Ａ変換器を介して制御される請求項１５に記載の高周波信号受信装置であり、マイクロコンピュータで第２の同調フィルタの制御をするので、外部からの制御を容易に行うことができる。
【００２８】
請求項１７に記載の発明は、第２の同調フィルタを可変型のローパスフィルタとした請求項１５に記載の高周波信号受信装置であり、ローパスフィルタであるので、バンドパスフィルタに比べて小型化と低価格化を図ることができる。
【００２９】
以下、本発明の実施の形態について、図面を用いて説明する。
【００３０】
（実施の形態１）
図１は、実施の形態１における高周波信号受信装置のブロック図である。図１において、本発明の高周波信号受信装置は、１チャンネル中に最大１３のセグメントを含む放送波を受信する高周波信号受信装置であって、この高周波信号受信装置は、９０ＭＨｚから７７０ＭＨｚの放送波が入力される入力端子３１と、この入力端子３１に接続されたバンドパスフィルタ付きの増幅器３２と、この増幅器３２の出力が一方の入力に供給されるとともに他方の入力にはＰＬＬ回路３３にループ接続された局部発振器３４の出力が接続された混合器３５と、この混合器３５の出力に接続されるとともに第１の中間周波数を通過させるバンドパスフィルタ３６と、このバンドパスフィルタ３６の出力が一方の入力に接続された混合器３７と、この混合器３７の出力には第２の中間周波数が供給される出力端子３８が接続されている。
【００３１】
また、混合器３７の他方の入力には、ＰＬＬ回路３９にループ接続された局部発振器４０が分周器４１を介して接続されている。また、ＰＬＬ回路３３とＰＬＬ回路３９はともに一つの水晶発振子４２に接続されるとともにマイクロコンピュータ４３に接続されている。そして、このマイクロコンピュータ４３はデータ端子４４に接続されている。ＰＬＬ回路３９は、局部発振器４０の発振周波数を予め定められた値に設定することができ、本発明で言う中間周波数設定手段である。
【００３２】
ここで、入力端子３１に入力される放送波の周波数４５は図２（ａ）に示すように９０ＭＨｚから７７０ＭＨｚであり、混合器３５から出力される第１の中間周波数は、図２（ｂ）の４６に示すように５６ＭＨｚと低く設定している。また、混合器３７から出力される第２の中間周波数は図２（ｃ）の４７に示すように設定されている。ここで、第２の中間周波数は局部発振器４０の出力周波数をマイクロコンピュータ４３で制御することにより、ＰＬＬ回路３９を介して４ＭＨｚ以下の予め定められた周波数に設定することができる。
【００３３】
以上のように構成された高周波信号受信装置について、以下にその動作を説明する。入力端子３１には、図２（ａ）に示されるように略２００ＭＨｚの放送波が入力される。この放送波４５は局部発振器３４の出力と混合器３５で混合されて図２（ｂ）に示すように５６ＭＨｚの中間周波数４６に変換される。即ち選局される訳である。
【００３４】
そして、この混合器３５からの出力された中間周波数４６はフィルタ３６を介して次の混合器３７で局部発振器４０が分配器４１を介して出力される信号と混合されて図２（ｃ）に示すように４ＭＨｚ以下の予め定められた可変される中間周波数４７に変換される。なお、ここで図２における横軸４８は周波数（ＭＨｚ）である。
【００３５】
ここで、放送波４５は１チャンネル中に、ハイビジョン放送の受信では１３セグメント含まれており、音声とデータの受信では３セグメントであり、音声や音楽放送の受信では１セグメントである。
【００３６】
そこで、マイクロコンピュータ４３でＰＬＬ回路３９を介して局部発振器４０の発振周波数を制御することにより、混合器３７の出力ではハイビジョン受信時には図３に示すように４ＭＨｚを中心に５．６ＭＨｚの帯域幅５０を占有し音声とデータの受信では図４に示すように１ＭＨｚを中心に１．３ＭＨｚの帯域幅５１を占有し、音声や音楽放送の受信時には図５に示すように０．５ＭＨｚを中心に０．４３ＭＨｚの帯域幅５２を占有している。ここで図３，４，５における横軸５３，５４，５５は周波数（ＭＨｚ）である。
【００３７】
即ち、放送波４５の情報に基づいて、セグメントの数を決定し、この決定に基づいてマイクロコンピュータ４３でＰＬＬ回路３９を制御する。ＰＬＬ回路３９ではマイクロコンピュータ４３からの情報に基づいて局部発振器４０の発振周波数を制御して、４ＭＨｚ，１ＭＨｚ，０．５ＭＨｚに設定する。
【００３８】
このように、１チャンネル中に含まれるセグメントの数に基づいて第２の中間周波数を低い周波数に設定するので、受信放送の種類に応じてサンプリング周波数を低くすることができ、消費電力を少なくすることができる。従って、本高周波信号受信装置を携帯機器等に使用すれば電池寿命を長くすることができる。
【００３９】
また、放送波４５の周波数より第１の中間周波数４６を低く設定しているので、ＮＦ性能が良い高周波信号受信装置を得ることができる。
【００４０】
更に、ＰＬＬ回路３３に供給される基準周波数とＰＬＬ回路３９に供給される基準周波数とは同一の水晶発振子４２から供給しているので、小型化を図ることができるとともに低価格化を実現することができる。
【００４１】
なお、局部発振器４０の発振周波数は、１２００ＭＨｚ（局部発振器３４の発振周波数の略４．６８倍）に設定しているので、局部発振器３４の出力が局部発振器４０の出力に妨害を与えることはない。ここで重要なことは局部発振器４０の発振周波数は局部発振器３４の整数倍にしないことである。整数倍にするとその高調波が妨害を与えることになる。また、局部発振器４０の出力は、入力端子３１に入力される信号と大きく異なるので、局部発振器４０の出力が入力端子（アンテナ側）３１に悪影響を与えることはない。
【００４２】
更に、ＰＬＬ回路３３とＰＬＬ回路３９とは、一つのマイクロコンピュータ４３で制御しており、外部からの制御が容易である。
【００４３】
更にまた、増幅器３２と、ＰＬＬ回路３３と、局部発振器３４と、混合器３５と、局部発振器４０と、ＰＬＬ回路３９と、分配器４１と、混合器３７とは、同一のパッケージに集積されて、小型化を図ることができるとともに部品管理や製造工数の削減ができる。なお、マイクロコンピュータ４３も、同一のパッケージに集積しても良い。
【００４４】
なお、分配器４１は混合器３７に近づけて配置することが重要である。これは、分配器４１の分配出力が妨害波となって入力端子３１側へ悪影響を与えないようにするための配慮である。
【００４５】
（実施の形態２）
図６は、実施の形態２における高周波信号受信装置のブロック図である。実施の形態１においては、ダウン／ダウン方式であったのに対して実施の形態２ではアップ／ダウン方式である点において相違する。
【００４６】
以下、説明する。図６における高周波信号受信装置は、１チャンネル中に最大１３のセグメントを含む放送波を受信する高周波信号受信装置であって、この高周波信号受信装置は、９０ＭＨｚから７７０ＭＨｚの放送波が入力される入力端子６１と、この入力端子６１に接続されたバンドパスフィルタ付きの増幅器６２と、この増幅器６２の出力が一方の入力に供給されるとともに他方の入力にはＰＬＬ回路６３にループ接続された局部発振器６４の出力が接続された混合器６５と、この混合器６５の出力に接続されるとともに第１の中間周波数を通過させるバンドパスフィルタ６６と、このバンドパスフィルタ６６の出力が一方の入力に接続されるとともに他方の入力にはＰＬＬ回路６７にループ接続された局部発振器６８の出力が接続された混合器６９と、この混合器６９の出力には第２の中間周波数が供給される出力端子７０が接続されている。
【００４７】
また、ＰＬＬ回路６３と６７はともに一つの水晶発振子７１に接続されるとともにマイクロコンピュータ７２に接続されている。そして、このマイクロコンピュータ７２はデータ端子７３に接続されている。
【００４８】
ここで、入力端子６１に入力される放送波４５の周波数は実施の形態１と同様に、図２（ａ）に示すように９０ＭＨｚから７７０ＭＨｚであり、混合器６５から出力される第１の中間周波数は、図２（ｂ）の７６に示すように１４００ＭＨｚと高く設定している。
【００４９】
また、混合器６９から出力される第２の中間周波数は実施の形態１と同様に、図２（ｃ）の４７に示すように設定されている。ここで、第２の中間周波数は局部発振器６８の出力周波数をＰＬＬ回路６７を介してマイクロコンピュータ７２で制御することにより、４ＭＨｚ以下の予め定められた周波数に設定することができる。ＰＬＬ回路６７は、局部発振器６８の発振周波数を予め定められた値に設定することができ、本発明で言う中間周波数設定手段である。
【００５０】
以上のように構成された高周波信号受信装置について、以下にその動作を説明する。入力端子６１には、図２（ａ）に示すように略２００ＭＨｚの放送波が入力される。この放送波４５は局部発振器６４の出力と混合器６５で混合されて図２（ｂ）に示すように１４００ＭＨｚの中間周波数７６に変換される。即ち選局される訳である。
【００５１】
そして、この混合器６５からの出力された中間周波数７６はフィルタ６６を介して次の混合器６９で局部発振器６８から出力される信号と混合されて図２（ｃ）に示すように４ＭＨｚ以下の予め定められた可変される中間周波数４７に変換される。
【００５２】
ここで、放送波４５の１チャンネル中に含まれるセグメントの数は実施の形態１と同様である。従って、マイクロコンピュータ７２でＰＬＬ回路６７を介して、局部発振器６８の発振周波数が制御される。即ち、混合器６９の出力はハイビジョン受信時には図３に示すように４ＭＨｚを中心に５．６ＭＨｚの帯域幅５０を占有し、音声とデータの受信では図４に示すように１ＭＨｚを中心に１．３ＭＨｚの帯域幅５１を占有し、音声や音楽放送の受信時には図５に示すように０．５ＭＨｚを中心に０．４３ＭＨｚの帯域幅５２を占有している。
【００５３】
即ち、放送波４５の情報に基づいて、セグメントの数を決定し、この決定に基づいてマイクロコンピュータ７２でＰＬＬ回路６７を制御する。ＰＬＬ回路６７ではマイクロコンピュータ７２からの情報に基づいて局部発振器６８の発振周波数を制御して、４ＭＨｚ，１ＭＨｚ，０．５ＭＨｚに設定する。
【００５４】
このように、１チャンネル中に含まれるセグメントの数に基づいて第２の中間周波数を低い周波数に設定するので、サンプリング周波数を低くすることができ、消費電力を少なくすることができる。従って、本高周波信号受信装置を携帯機器等に使用すれば電池寿命を長くすることができる。
【００５５】
また、放送波の周波数４５より第１の中間周波数７６を高く設定しているので、イメージ周波数が受信帯域に妨害を与えることはない。
【００５６】
更に、ＰＬＬ回路６３に供給される基準周波数とＰＬＬ回路６７に供給される基準周波数とは同一の水晶発振子７１から供給しているので、小型化を図ることができるとともに低価格化を実現することができる。
【００５７】
なお、ＰＬＬ回路６３とＰＬＬ回路６７とは、一つのマイクロコンピュータ７２で制御しており、外部からの制御が容易となる。
【００５８】
更にまた、増幅器６２と、ＰＬＬ回路６３と、局部発振器６４と、混合器６５と、局部発振器６８と、ＰＬＬ回路６７と、混合器６９とは、同一のパッケージに集積されて、小型化を図ることができるとともに部品管理や製造工数の削減ができる。なお、マイクロコンピュータ７２も、同一のパッケージに集積することもできる。
【００５９】
（実施の形態３）
図７は、実施の形態３における高周波信号受信装置のブロック図である。実施の形態１においては、ダウン／ダウン方式のダブルスーパーであったのに対して実施の形態３ではシングルスーパーである点において相違する。
【００６０】
以下、説明する。図７における高周波信号受信装置は、１チャンネル中に最大１３のセグメントを含む放送波を受信する高周波信号受信装置であって、この高周波信号受信装置は、９０ＭＨｚから７７０ＭＨｚの放送波が入力される入力端子８１と、この入力端子８１に接続された増幅器９０と、この増幅器９０の出力に接続された同調フィルタ８２と、この同調フィルタ８２の出力が一方の入力に供給されるとともに他方の入力にはＰＬＬ回路８３にループ接続された局部発振器８４の出力が接続された混合器８５と、この混合器８５の出力に接続されるとともに中間周波数を通過させる同調フィルタ８６と、この同調フィルタ８６の出力に中間周波数が供給される出力端子８７が接続されている。
【００６１】
また、ＰＬＬ回路８３はマイクロコンピュータ８８が接続され、このマイクロコンピュータ８８はデータ端子８９に接続されている。
【００６２】
ここで、入力端子８１に入力される放送波４５の周波数は実施の形態１と同様に、図２（ａ）に示すように９０ＭＨｚから７７０ＭＨｚであり、混合器８５から出力される中間周波数は実施の形態１と同様に、図２（ｃ）の４７に示すように設定されている。ここで、中間周波数は局部発振器８４の出力周波数をマイクロコンピュータ８８で制御することにより、４ＭＨｚ以下の予め定められた周波数に設定することができる。また、このマイクロコンピュータ８８ではマイクロコンピュータ８８に内蔵されたＤ／Ａ変換器を介して同調フィルタ８６を直接制御している。このマイクロコンピュータ８８とＤ／Ａ変換器とで中間周波数設定手段を形成している。
【００６３】
以上のように構成された高周波信号受信装置について、以下にその動作を説明する。入力端子８１には、図２（ａ）に示すように略２００ＭＨｚの放送波が入力される。この放送波４５は局部発振器８４の出力と混合器８５で混合された後、同調フィルタ８６を介して出力端子８７から出力される。
【００６４】
ここで、放送波４５の１チャンネル中に含まれるセグメントの数は実施の形態１と同様である。従って、マイクロコンピュータ８８で局部発振器８４の発振周波数を制御して選局するとともに同調フィルタ８６をも制御する。なお、ＰＬＬ回路８３の出力で同調フィルタ８２の中心周波数も制御して概略の選局をする。
【００６５】
即ち、混合器８５の出力はハイビジョン受信時には図３に示すように同調フィルタ８６の中心周波数を４ＭＨｚとし、この４ＭＨｚを中心に５．６ＭＨｚの帯域幅５０を占有し、音声とデータの受信では図４に示すように同調フィルタ８６の中心周波数を１ＭＨｚとし、この１ＭＨｚを中心に１．３ＭＨｚの帯域幅５１を占有し、音声や音楽放送の受信時には図５に示すように同調フィルタ８６の中心周波数を０．５ＭＨｚとし、この０．５ＭＨｚを中心に０．４３ＭＨｚの帯域幅５２を占有している。
【００６６】
即ち、放送波４５の情報に基づいて、セグメントの数を決定し、この決定に基づいてマイクロコンピュータ８８でＤ／Ａ変換器を介して同調フィルタ８６の中心周波数を４ＭＨｚ，１ＭＨｚ，０．５ＭＨｚに設定する。なお、この同調フィルタ８６の周波数の微調整は出力端子８７の信号を検波して、Ａ／Ｄ変換してマイクロコンピュータ８８でこの出力が最大になるように制御しても良い。
【００６７】
このように、１チャンネル中に含まれるセグメントの数に基づいてマイクロコンピュータ８８とＤ／Ａ変換器を用いて中間周波数を予め定められた低い周波数に設定するので、サンプリング周波数を低くすることができ、消費電力を少なくすることができる。従って、本高周波信号受信装置を携帯機器等に使用すれば電池寿命を長くすることができる。
【００６８】
また、ＰＬＬ回路８３と同調フィルタ８６とは、一つのマイクロコンピュータ８８で制御しており、外部からの制御が容易となる。
【００６９】
更に、増幅器９０と、ＰＬＬ回路８３と、局部発振器８４と、混合器８５とは、同一のパッケージに集積されているので、小型化を図ることができるとともに部品管理や製造工数の削減ができる。なお、マイクロコンピュータ８８も同一のパッケージに集積することができる。
【００７０】
【発明の効果】
以上のように本発明の高周波信号受信装置によれば、中間周波数の生成には、１チャンネル中に含まれる複数セグメントの数に基づいて異なる値に設定することが可能な中間周波数設定手段を設け、希望する受信放送波が前記１チャンネル中に含まれる最大セグメントの数に対して少ないセグメントのときには前記中間周波数設定手段で前記中間周波数を前記最大セグメントのときよりも低い周波数に設定するものであり、１チャンネル中に含まれるセグメントの数に基づいて中間周波数を低い周波数に設定するので、サンプリング周波数を低くすることができ、消費電力を少なくすることができる。従って、携帯機器等に使用すれば電池寿命を長くすることができる。
【図面の簡単な説明】
【図１】
本発明の実施の形態１における高周波信号受信装置のブロック図
【図２】
（ａ）は、実施の形態１，２，３における高周波信号受信装置の放送波信号図
（ｂ）は、実施の形態１，２における高周波信号受信装置の第１の中間周波数の信号図  （ｃ）は、実施の形態１，２，３における高周波信号受信装置の出力周波数の信号図
【図３】
同、ハイビジョン信号受信時の出力信号の信号図
【図４】
同、音声とデータ信号受信時の出力信号の信号図
【図５】
同、音声や音楽信号時の出力信号の信号図
【図６】
同、実施の形態２における高周波信号受信装置のブロック図
【図７】
同、実施の形態３における高周波信号受信装置のブロック図
【図８】
従来の高周波信号受信装置のブロック図
【図９】
（ａ）は同、高周波信号受信装置の放送波信号図
（ｂ）は同、第１の中間周波数の信号図
（ｃ）は同、出力周波数の信号図
【図１０】
（ａ）はハイビジョン信号受信時の出力信号の信号図
（ｂ）は同、音声とデータ信号受信時の出力信号の信号図
（ｃ）は同、音声や音楽信号受信時の出力信号の信号図
【符号の説明】
３１  入力端子
３３  ＰＬＬ回路
３４  局部発振器
３５  混合器
３７  混合器
３８  出力端子
３９  ＰＬＬ回路
４０  局部発振器
４３  マイクロコンピュータ
４５  放送波
４７  中間周波数